(57)【要約】複数の端末機器に同時アクセスするユーザは、マルチメディア、マルチ端末ユーザセションに入ることができる。ネゴシエーション段階で、ユーザはマルチメディアセションにおいてどのメディアを用いるのかについて同意を与え、選択メディアをサポートする最適なタイプの端末機器を選択する。各端末機器は複数の相互作用する通信ネットワークの１つと接続される。複数の相互作用するネットワークのいずれかを通して到達するネットワークノード（１３０）は、各タイプの端末機器が少なくとも１つの選択メディアを搬送するように選択端末機器に関与するサブセションの創成と統括管理を行なう。多目的のメディアの豊富な通信が得られ、そこでは局所的な環境において現在利用可能な端末機器が効率的に用いられる。
2005518719.tif 000002
【特許請求の範囲】
【請求項１】
夫々が各通信ネットワーク（３３０、３４０、３５０）に接続された複数のエンドユーザシステム（１１０、１２０）夫々にアクセスする第１と第２のエンドユーザ間のユーザマルチメディアセションを確立する方法であって、
複数のエンドユーザシステム各々のエンドユーザシステムのための、各エンドユーザシステムの能力に少なくとも関係したデータを各記憶ユニット（１４０）に格納する工程と、
第１のユーザが前記第１の複数のエンドユーザシステム（１１０）において、第２のユーザの複数のエンドユーザシステム（１２０）の内の少なくとも１つに対する、通信用のメディア能力についての初期要求を決定する通信の招待の送信を開始する工程と、
前記格納されたデータと前記初期要求とに依存して、メディアが可能なエンドユーザシステム選択をネゴシエーションする工程と、
選択エンドユーザシステムについてのネットワークアドレスを、対応するメディアが可能とされたエンドユーザシステムとのマルチメディアセションの確立のために決定する工程とを有することを特徴とする方法。
【請求項２】
少なくとも１つの記憶ユニット（１４０）は、その関係した複数のエンドユーザシステム（１１０、１２０）に位置することを特徴とする請求項１に記載の方法。
【請求項３】
前記格納する工程は、前記データを前記各複数のエンドユーザシステム（１１０、１２０）で登録し、前記データを前記記憶ユニット（１４０）での記憶のために転送することを特徴とする請求項１又は２に記載の方法。
【請求項４】
前記登録は、エンドユーザシステムにおけるエンドユーザのマニュアル操作により部分的になされることを特徴とする請求項３に記載の方法。
【請求項５】
前記登録する工程は、前記エンドユーザシステムが短距離無線通信システムにより少なくとも別のエンドユーザシステムに接続することを含み、前記別のエンドユーザシステムに関係した前記データをポーリングすることを特徴とする請求項３に記載の方法。
【請求項６】
前記転送は、無線ネットワークにより前記データを通信すること含むことを特徴とする請求項３に記載の方法。
【請求項７】
前記確立する工程は、前記メディアが可能なエンドユーザシステムとネットワークノード（１３０）とに関与するサブセションの創成を含み、
前記ネットワークノード（１３０）は前記サブセションと内部接続してマルチメディアユーザセションを形成することを特徴とする請求項１に記載の方法。
【請求項８】
前記ネゴシエーションする工程は、サービスノードで実施される支援サービスを決定することに関与し、
前記確立する工程は、前記サービスノードと前記ネットワークノード（１３０）との間のさらなるサブセションの創成を含み、
前記内部接続には、前記マルチメディアユーザセションは前記サービスを支援するように前記さらなるサブセションと前記サブセションの内部接続を含むことを特徴とする請求項７に記載の方法。
【請求項９】
前記通信を確立する工程は、少なくとも１つの通信条件が満足されないという理由で延期されることを特徴とする請求項１に記載の方法。
【請求項１０】
前記条件は一回の障害に関係して前記対応するメディアが可能なエンドユーザシステムを識別選択し、
そのような対応するシステムの利用可能性が後になって決定されることを特徴とする請求項９に記載の方法。
【請求項１１】
前記利用可能性はエンドユーザシステムにおいて自動的に決定されることを特徴とする請求項１０に記載の方法。
【請求項１２】
処理及び記憶手段と、入力手段と、情報の呈示手段と、通信ネットワークへの接続手段とを有し、マルチメディアセションの創成を制御するエンドユーザシステムであって、
前記エンドユーザシステムの環境にあうように決定された、複数の識別されたエンドユーザシステムに関するデータを登録する手段と、
メディアの選択をネゴシエートするためにネットワークと相互作用する手段と、
前記メディアの選択に対応するエンドユーザシステムに関係するネットワークアドレスを決定する手段と、
前記識別されたエンドユーザシステムの選択を含む要求を送信してマルチメディアセションを確立する手段とを有することを特徴とするエンドユーザシステム。
【請求項１３】
物理的環境内のエンドユーザシステムの自動検出の手段と前記データのために前記検出されたシステムにポーリングする手段とをさらに有することを特徴とする請求項１２に記載のエンドユーザシステム。
【請求項１４】
前記検出とポーリングする手段は、前記エンドユーザシステム各々に接続する短距離無線通信システムを有していることを特徴とする請求項１３に記載のエンドユーザシステム。
【請求項１５】
マルチメディアユーザセションの管理のために少なくとも１つの通信ネットワークに接続されるネットワークノード（１３０）であって、
識別されたエンドユーザとの通信のために、メディア要求仕様へのリンクを含む要求を受信する手段と、
前記識別されたエンドユーザに招待メッセージを、前記仕様へのリンクを含めて送信する手段と、
前記識別されたエンドユーザに関連した少なくとも複数のエンドユーザシステム（１１０、１２０）に関係したデータを記憶場所（１４０）から取り出すための前記リンクを用いる手段と、
メディアが可能なエンドユーザシステムの選択のために、前記格納されたデータと前記メディア要求とに依存して、前記識別されたエンドユーザとネゴシエーションを行なう手段と、
前記ネットワークノード（１３０）と前記メディアが可能なエンドユーザシステムとの間のマルチメディアセションの創成のために前記選択されたエンドユーザシステムに対応するネットワークアドレスを決定する手段とを有することを特徴とするネットワークノード。
【発明の詳細な説明】
【技術分野】
【０００１】
本発明は複数のエンドユーザシステムに対して同時にアクセスするユーザ間でのマルチメディアセションを確立する方法に関するものである。
【０００２】
また、本発明は、前記方法を実現する構成に関するものである。
【背景技術】
【０００３】
通信の一般的な手段としてのインターネットの使用は引き続き成長している。インターネットの成功は、製造者とネットワークプロバイダとの間の標準化の発展における実りある協力に依存するところが多い。ＴＣＰ／ＩＰという一揃いのプロトコルはインターネット通信の基本的な標準になった。リアルタイムプロトコル（ＲＴＰ）のような他の標準もそのネットワークに機能性を付加し、リアルタイムサービスが、例えば、オーディオやビデオ情報を転送するということを可能にしている。リアルタイムサービスの品質を維持するために、ネットワークはリアルタイムセションを通して満足のゆく特性を提供しなければならない。それ故に、通信を行い、例えば、ビット率や遅延特性のような要求を扱うための標準が開発されている。一般に、サービス品質（ＱｏＳ）はインターネットのさらなる発展においては重要なトピックとなっている。ハンドシェイク手順をもつパーティ間の通信セションを開始することがまず、生じなければならないであろう。セション開始プロトコルＳＩＰはインターネットを基本とする通信処理のために開発された。他のパーティ（人、情報サービス、或いはトランザクションサービス）に対して発呼する発信元がこの手順を開始する。その呼はその呼を受付けたり拒絶したりできる被呼パーティに通信されねばならない。もし、呼が受け付けられると、さらなる条件が、関与するパーティに利用可能な通信手段の間での互換性を満たすために達成されねばならない。通信の伝統的な方法では、各パーティが異なるアクセスネットワーク運用者により運用される異なるアクセスネットワークにより接続される端末の選択を利用することのできる環境を十分に利用していない。
【０００４】
一般に、ネットワークにアクセスするユーザはそのユーザセションを通じて特定の端末を用い、従ってその特定の端末によってサポートされるメディアタイプに限定される。例えば、その端末は移動体電話であるかもしれない。例えば、移動体電話のような多くの端末は、音声とデータのような幾つかのデータタイプをサポートできる。幾つかの同時進行するセションが、例えば、移動体電話のような１つの同じ端末で開始され、これによりマルチメディア通信を可能としているかもしれない。しかしながら、移動体電話は基本的には携帯性のために最適化され、音声通信のために意図されているもので、逆に他のメディアは限定的な処理能力、メモリ制限、小型ディスプレイ画面のような技術的な限界により影響を受けるかもしれない。同様に、他のタイプの端末はしばしば特定のアプリケーションのために最適化されている。従って、例えば、携帯情報端末ＰＤＡはもっともなサイズの表示画面をもち、データネットワークとの接続が可能である。それ故に、ＰＤＡは文字や画像のようなプリント情報を搬送するのに便利である。しかしながら、ＰＤＡは音声通信の手段を備えてはいない。パーソナルコンピュータＰＣは一般にネットワークによる音声とデータの同時通信を可能にするに十分な能力がある。しかしながら、ＰＣは、一般に、例えば、通常、動作時間に厳しい制限のある電池による電力供給能力をもつ移動体電話やラップトップＰＣと比べて移動性に乏しい。従って、環境に依存して、ユーザは最も良く利用する通信条件と所望の通信タイプに最も適合したタイプの端末を好むかもしれない。
【０００５】
種々の製造者の端末間での通信を可能する標準化が進められてはいるが、依然として互換性の問題がある。例えば、移動体電話をもつ他のユーザとの通信をＰＣをもつあるユーザが望むとすると、この場合には、非常に異なる端末特性に関係した互換性の問題を経験するかもしれない。たとえ、両方の端末が技術的観点からは通信可能であっても、ユーザの観点からすれば、移動体電話は小さな表示画面に非常に限定された量の情報しか提示できないという事実に関連した非互換性の問題がある。
【０００６】
通信のタイプと品質とを限定するエンドユーザシステムの環境の他に、ユーザは通信での被呼側パーティへの利用可能性のような別の制限要因を経験するかもしれない。一般に、この文書におけるエンドユーザ環境という用語はパーティ間の通信に影響を与える因子の集まりに名前をつけたものである。特に、エンドユーザ環境は利用可能なエンドユーザシステムのデータと、時間や通信利用可能性のようなユーザの通信の好みと関係したデータとを含む。
【０００７】
各時点において、エンドユーザは、夫々が具体的な特性をもつ複数のエンドユーザシステムに同時アクセスすることが予想される。それ故に、ユーザの好みに従って幾つかのエンドユーザシステムを同時に利用して、これらのシステムによってサポートされる種々のメディアタイプを最適利用することには利点がある。さらに、通信を行なうパーティに関係したユーザ環境に依存して、前記のことを組み合わせることにも利点がある。ユーザ環境は時間と場所により変化するかもしれない。
【０００８】
従って、各エンドユーザに関し、複数の同時アクセス可能なエンドユーザシステムの内の少なくとも１つに関与するユーザ対ユーザのセションを確立する方法と構成の必要性がある。なお、そのセションはさらに通信を行なうパーティに関係するユーザの現在の環境に依存しているものである。
【０００９】
関連技術の説明
ＩＥＴＦ  ＲＦＣ  ２５４３に記載されているセション開始プロトコル（ＳＩＰ）はアプリケーション層の制御プロトコルであり、それはマルチメディアセションを確立し、変更し、終了させることができる。ＳＩＰセションを確立するために、各パーティはエンドユーザシステムネットワークアドレスへと変換できるアイデンティティをもつ。セションを開始するパーティはＳＩＰを起動して他のパーティを招き入れる。ネットワークにおけるユーザの好み情報は、そのユーザが招き入れられねばならない端末或いはエンドポイントと、応答がない場合に何をすべきかとを決定する。もし、ユーザが関係する端末との幾つかのアクセスで利用可能であるなら、ネットワークはアクセス毎にポーリングを行なうか、或いは可能なエンドポイント／端末のセットに対して招待を同報する。その時、ＳＩＰは識別されたエンドユーザシステムに関係するメディアパラメータをネゴシエーションして通信のためにマッチさせることができる。ＳＩＰプロトコルは与えられたエンドユーザシステム間のセションを確立する機能を提供するが、より高度なユーザ指向レベルについての資源管理のためのサポートは提供していない。特に、ユーザは、夫々が特定のタイプのメディアで特徴づけられた幾つかのサブセションを有する複合ユーザセションを指定することを望むかもしれない。
【００１０】
特許文献１には、単一の物理チャネルで異なるセションに関係した複数端末の端末接続を確立する方法が記載されている。しかしながら、各ユーザはポイント−ツウ−ポイント接続だけのアクセスがあり、その文献では複数の同時利用可能なエンドユーザシステムの管理の仕方を示してはいない。
【００１１】
特許文献２は、一般的にユーザ環境の創成と分配とを開示している。その発明はさらに、パラメータ値と動作のトリガとを決定する規則の使用を開示している。その発明はある面においては通信動作を制御する環境の利用に関与しているが、その引用された文書には本発明の請求の範囲にあるようなことは教示もしていないし提案もしていない。
【００１２】
特許文献３は、ユーザに呼の到来について警告することがユーザ選択のエンドポイントでなされ、その警告への応答が通信を実行するためにさらに用いられる別の利用可能なエンドポイントでなされるという方法を記載している。この文書はしかしながら、マルチメディアユーザセションを実行する幾つかのエンドユーザシステムをユーザが同時に使用するという方法については記載していない。
【００１３】
特許文献４は、呼の選別と端末のマッチングとを、夫々がいくつかの通信端末をもつ少なくとも２つのパーティ間での呼のセットアップの間に実行する方法についての問題を扱っている。しかしながら、この文書は、これらの端末とのマルチメディアセションを確立するするために、ユーザ環境の中にある同時アクセス可能な複数の端末を使用することについては示しておらず、メディアタイプをそのメディアをサポートする端末に関係付けることについては言及がない。
【特許文献１】国際公開第００／４９７８３号パンフレット
【特許文献２】スウェーデン国特許出願公開第０１０１１７０８−６号明細書
【特許文献３】欧州特許出願公開第９９８５０２０９／０号明細書
【特許文献４】スウェーデン国特許第９８０４５９８号明細書
【発明の開示】
【発明が解決しようとする課題】
【００１４】
発明の要約
公知のユーザ−ツウ−ユーザ接続の制限を克服する方法と構成とを提供することが本発明の目的である。特に、夫々が各通信ネットワークに接続されている複数の同時アクセス可能なエンドユーザシステムから選択された何らかの組み合わせのエンドユーザシステムに関与するユーザ−ツウ−ユーザセションを確立する必要を解決することがその目的である。
【００１５】
例えば、エンドユーザが新しい場所に移動するという理由などの変化する環境に依存して、進行中のユーザセション中に、エンドユーザシステムのセットの動的な再構成を提供することが本発明の別の目的である。
【課題を解決するための手段】
【００１６】
本発明に従えば、添付の請求の範囲で特定されるようなエンドユーザ間のマルチメディア通信のための方法と構成とが備えられる。
【００１７】
この文書では、メディアという用語は一般に、通信を行なうパーティ間で意味のある方法で交換可能な情報のタイプとして理解される。代表的なメディアは音声、文字、画像、及びビデオである。従って、この用語は、ケーブルや空中無線チャネルのような情報を搬送する手段を含むものではない。
【００１８】
この文書におけるエンドユーザシステムという用語は、端末機器のハードウェアと、端末或いはその端末のためのリモートサーバにおける処理手段により実行されるプログラムコードとして好ましくは実施される機能とを有するシステムを意味するものである。そのエンドユーザシステムは固定電話、ファクシミリ装置、移動体電話、ＰＣ、及びアンサリング機器、ウェブカメラ、マイクロフォン、スピーカ、文書スキャナなどのようなそこに接続される機器であって良い。１つの機能は画像やビデオの創成と通信のためのプログラムサポートを有していても良い。
【００１９】
さらに、この文書では、発呼者（caller）という用語は、通信セションの開始者であるエンドユーザを意味し、被呼者（callee）という用語は、通信要求を受信するエンドユーザを意味する。
【００２０】
ユーザ環境（user context）という用語は、そのユーザとの通信のための条件を決定する編集されたデータを意味する。共用環境とは少なくとも２つのパーティがその通信について合意した環境である。
【００２１】
この文書の続く部分において、“到来呼についての警告（alerted about incoming call）”という用語は本質的には、“通信のために招じ入れられた（invited to communicate）”という用語と同じことを意味すると理解されねばならず、これらの用語は交換可能に用いられる。
【００２２】
本発明の好適な実施例に従えば、ユーザ−ツウ−ユーザのセションの確立に関与する各エンドユーザは、ユーザ登録エンティティにおいて、利用可能なエンドユーザシステムとそのシステム特性とを登録する。発呼者は通信開始のために１つのエンドユーザシステムを選択する一方、次の通信は１つ以上の他の選択エンドユーザシステムに関与するかもしれない。
【００２３】
本発明の目的は添付の請求の範囲に説明されているような方法と構成とにより得られるものである。本発明を適用したときのさらなる範囲については、これ以降に示す詳細な説明から明らかになる。しかしながら、本発明の範囲内には多くの変更や変形があることが詳細な説明から当業者には明らかとなるので、この詳細な説明や具体例は本発明の好適な実施例を示唆するものではあるが、ただ例示を目的として与えられるものであることを理解されたい。
【００２４】
本発明のより完全な理解は添付図面に関連してとられた次の詳細な説明を参照することで得られるであろう。その図面はただ例示的なものとして与えられており、本発明の範囲を限定するものではない。
【発明を実施するための最良の形態】
【００２５】
本発明ついて、これ以降、添付図面を参照してより完全に説明するが、その図面において、同じ番号は同じ対象を指しており、その図面において本発明の好適な実施例が示される。
【００２６】
図１には、好適な実施例に従う構成における基本的な要素の機能図が示されている。１１０と１２０とで第１と第２のユーザ環境が示されている。環境にはユーザの場所で利用可能なエンドユーザシステムを含む。利用可能なシステムは、到達範囲内、視野範囲内、或いは一定時間内に或いは一定距離を移動することで到達或いは視野に確認可能なシステムである。利用可能性はまた、アクセスオーソリティにも言及するかもしれない。この文書では、エンドユーザシステムとは、端末ハードウェア以外にも、１つのデータフォーマットから他のフォーマットに変換するための、端末で或いは非限定的な方法で一般には記載されるコード変換サービスを実施する代表的には遠隔地にあるホストと協同して利用可能なサービスを含むものとして理解されることを思い出して頂きたい。ネットワーク１３０は各環境１１０と１２０においてエンドユーザにより選択されたエンドユーザシステム間での接続を確立できる。ネットワークノード１３０により要求されたエンドユーザシステムデータは各環境１１０と１２０に関係した登録エンティティ１４０で登録される。
【００２７】
図２には、ネットワークインフラストラクチュアが示されている。環境１１０における各エンドユーザシステムは、少なくともアクセスネットワーク３３０、３４０、或いは３５０を通して、インターネット３２０に接続している。代表的なネットワーク３３０はローカルエリアネットワーク（ＬＡＮ）でも良いし、ネットワーク３４０はＧＳＭやＷＣＤＭＡネットワークのような公衆陸上移動体ネットワーク（ＰＬＭＮ）かもしれないし、ネットワーク３５０は公衆交換電話網（ＰＳＴＮ）かもしれない。
【００２８】
さて、図３には好適な実施例の論理機能に関係する図が例示されている。エンティティ２３０、２５０、及び２６０はネットワークノード１３０に含まれているが、当業者には明らかなように他の種々の構成も可能である。第１と第２のエンドユーザ環境が夫々、１０と１２０で図示されている。また、各エンドユーザに関係した登録エンティティ１４０が図３には示されている。エンドユーザ、例えば、環境１１０におけるエンドユーザは、その登録エンティティに複数のアクセスネットワークの内の少なくとも１つにより接続し、その環境で利用可能なエンドユーザシステムを登録するかもしれない。エンドユーザシステムに対する登録データは、システムにアクセスするタイプ、ディスプレイやスピーカのようなメディアを表現するための機器のタイプ、及び、例えばＪＰＥＧ画像の処理のためのサポートを示す代表的なファイルタイプのようなその機器によりサポートされる情報のタイプについてのデータを有している。この技術分野では、情報タイプを示すために、また、そのタイプの情報を処理するためのアプリケーションソフトウェアと関係付けるためにファイル拡張を用いるのが一般的である。
【００２９】
２５０には各エンドユーザに関係した呼処理及び警告エンティティとが示されている。呼処理及び警告エンティティは、アドレスを用いて複数のアクセスネットワークの内の少なくとも１つ、例えば、ネットワーク３４０（ＰＬＭＮ）、ネットワーク３５０（ＰＳＴＮ）、或いは、対応ゲートウェイを介してインターネット３２０へアクセスされる。
【００３０】
所望のマルチメディア、マルチ端末通信をセットアップするために必要な個々の端末セション全てについての情報を維持するセション管理エンティティが２３０で示されている。そのセションマネージャは登録エンティティ１４０に接続されており、これにより、何らかのユーザ環境における変更が検出される。そのセションマネージャはそのような変更があると作用し、例えば、通信の新しい条件、即ち、新しい環境を指定させるために、ユーザとの対話を求めても良い。
【００３１】
２６０に示されている接続マネージャはセションマネージャに関係している。その接続マネージャは、例えば、ＳＩＰプロトコルを介して、ユーザセション全体に関与する個々のセション全てを確立する。
【００３２】
さて、図４、図５、及び図６を参照して、好適な実施例に従う呼の処理について説明する。
【００３３】
８１０では、環境１１０の発呼者は発呼者の呼処理及び警告エンティティ２５０にアクセスし、例えば、環境１２０の被呼者のような、少なくと被呼者との通信を要求する。通信要求は、発呼者に利用可能な何らかのエンドユーザシステム、例えば、ＨＴＴＰプロトコルを用いてインターネットに接続するパーソナルコンピュータやＧＳＭアクセスを用いた移動体電話から開始される。図５の５１０で図示されているように、呼処理及び警告エンティティはインタフェースユニット５２０を介して複数のネットワークからアクセスされる。発呼者の呼処理及び警告エンティティは、ユーザセションを確立して実行する処理を通じて用いられるユーザセションアイデンティティを生成する。そのユーザセションアイデンティティはレジスタ５３０をアドレスするのに用いられ、そのレジスタにはそのセションに関係する種々のデータが格納される。通信要求を受信するのに応じて、発呼者の呼処理及び警告エンティティは８１５において発呼者との対話を開始して初期の発呼者のエンドユーザ環境を決定する。その環境はレジスタ５３０に格納され、そのメディアと、これらのメディアが呈示されることになる関係するエンドユーザシステムのアイデンティティとを含む。代表的な発呼者は音声通信には移動体電話を、ＪＰＥＧ画像の通信にはＰＣを用いることを望む。その対話には、例えば、登録エンティティ１４０で登録されるようなエンドユーザシステムの利用可能リストを呈示する工程を含む。そのリストは、インターネットに対するＷＡＰインタフェースをもつ移動体電話で、ＨＴＴＰインタフェースをもつＰＣで、或いは、音声対話を行なうような電話にさえも表示されて良い。
【００３４】
図６は、選択メディアをサポートするエンドユーザシステムの選択のために、６１０には第１のメディア選択メニューを、そして、６２０には第２のシステム選択メニューを有した代表的なダイアログ（対話）を示している。６２５では代表的なものとして、ユーザは音声メディアを選択しており、６３０では移動体電話が対応するエンドユーザシステムとして選択されている。発呼者のユーザダイアログ（対話）は、少なくとも部分的には、被呼者の登録エンティティ１４０で登録されるように、被呼者での利用可能な資源に依存している。代表的なものとして、選択６１５では、少なくとも１つの被呼者がビデオを処理できないという指標がある。発呼者の呼処理及び警告エンティティは、インタフェース５２０により、被呼者の対応する呼処理及び警告エンティティをアドレスし、被呼者の登録エンティティ１４０へのリンクを要求できる。ステップ８２０では、発呼者の呼処理及び警告エンティティが被呼者の招待を要求する。その要求は、セションアイデンティティと、レジスタ５３０に格納された発呼者の初期ユーザ環境への参照とを含む。被呼者の呼処理及び警告エンティティは対応するレジスタ５３０における記録を創成し、そして、ステップ８２５では、招待メッセージの処理のために被呼者に割当てられたエンドユーザシステムに関しレジスタ５４０をチェックする。その招待メッセージは、アテンション信号と関係する招待情報への参照とを含む。ステップ８３０では、被呼者の呼処理及び警告エンティティはアテンションメッセージを被呼者の環境１２０における指定されたエンドユーザシステムに送信する。その招待情報は、例えば、発呼者によって編集されたショートメッセージと、現在の呼のために発呼者によって決定された発呼者のエンドユーザ環境とを有している。その招待情報は、発呼者の呼処理及び警告エンティティ２５０でレジスタ５３０に格納されるのが代表的である。そのアテンションメッセージは、コネクションレス・シグナリングについての何らかの方法により、例えば、ＳＭＳメッセージ或いは電子メール（e-mail）として送信される。被呼者は、招待を受けたエンドユーザシステムのいずれかから、その招待に注意を払う。関係するリンクされた招待情報は、代表的には、何らかの選択エンドユーザシステムにより解釈と呈示可能なフォーマット、例えば、ＸＭＬのようなファイル記述フォーマットで格納される。被呼者はその招待を受け入れて、ステップ８３５では発呼者と通信を行ない、そのとき、被呼者の呼処理及び警告エンティティは被呼者との対話を始め、例えば、メディアと対応する好適な被呼者のエンドユーザシステムのアイデンティティとを含む被呼者ユーザ環境を決定する。ダイアログ（対話）は、発呼者の環境に合致する被呼者のエンドユーザシステムの利用可能性に依存する。被呼者の呼処理及び警告エンティティは、被呼者に利用可能なエンドユーザシステムの能力について被呼者登録エンティティ１４０から情報を取得する。そのシステム能力は関係する支援サービスの能力を含むものであることを思い出されたい。従って、エンドユーザシステムのリストからの選択は、支援サービス、例えば、コード変換（transcoding）サービスに接続するための承���とそのサービスを用いる可能性のある付加的コストの受け入れとに関与するかもしれない。被呼者が発呼者のエンドユーザ環境にマッチできない場合、被呼者の呼処理及び警告エンティティは発呼者環境を変更することのできる発呼者との対話を求める。例えば、発呼者は既に、所望のメディアに適切な他のエンドユーザシステムにアクセスしているかもしれないし、或いは、発呼者は好ましいものより低い品質のメディアを受け入れるかもしれない。発呼者と被呼者のユーザ環境のネゴシエーションは共用する環境が決定するまで進行する。
【００３５】
ステップ８４０では、発呼者と被呼者はこのようにしてネゴシエーションされた共用ユーザ環境に従った通信を承認する。
【００３６】
ステップ８４５では、共用環境がそのセションアイデンティティを含むセション管理エンティティ２３０に送信される。そのセション管理エンティティは、ユーザセションに必要な個々の端末−端末、端末−ホスト、及びホスト−ホストのセションの全てに関係した情報を編集する。セション管理エンティティ２３０は登録エンティティ２４０から共用エンドユーザ環境に含まれ、そして、そのユーザセションに関与する全てのサブセションの完全な決定のために必要なエンドユーザシステムについての情報を取得する。ステップ８５０では、セション管理エンティティ２３０は接続管理エンティティ２６０に命令を発し、セション開始プロトコルＳＩＰを用いて個々の接続全てをセットアップする。
【００３７】
セションの現在のサブセションは、変化するユーザ環境に応じて新しいサブセションによって置換される。以前に小型のディスプレイでメディアを受信し、より大型のディスプレイが利用可能な別の場所に移動するユーザには、より小型のものの代わりにより大型のディスプレイを選択する可能性が与えられる。小型のディスプレイに関係した現在のサブセションは、その時、上述した手順に従ってより大型のディスプレイに関係した新しいサブセションで置換される。セション管理エンティティ２３０は環境の変化を記録できる。エンドユーザとのダイアログ（対話）が開始されて、何らかの現在のエンドユーザシステムの変更が実行されるべきかどうかを決定する。もし、変更するなら、セション管理エンティティはその変更を管理する。
【００３８】
代替実施例の説明
代替実施例において、エンドユーザの環境にある各エンドユーザシステムは、例えば、Bluetooth（登録商標）アドホックネットワークのような局所的な短距離無線アドホックネットワークに接続する手段をもっている。Bluetooth（登録商標）インタフェースの仕様は、ワールドワイドウェブの公式Bluetooth（登録商標）ウェブサイトhttp://www.bluetooth.comで見つけることができる。特定のユーザに利用可能なエンドユーザシステムについての情報は、予め定義されたエンドユーザマスタシステムにより、ローカルアドホックネットワークにおいて編集される。エンドユーザのローカル環境における変更の検出に応じて、前記マスタエンドユーザシステムは登録エンティティ１４０に接続し、そのエンドユーザに関係するエンドユーザ環境記録を更新する。
【００３９】
周辺のエンドユーザシステムへのアクセスについての基準は、その環境を決定することに含められるかもしれない。エンドユーザがアクセスするエンドユーザシステムだけがその環境に含められる。代表的には、権利管理や有料アクセスを介してアクセスが制御される。
【００４０】
登録エンティティがその代わりに前記予め定義されたエンドユーザマスタシステムに置かれても良い。そのエンドユーザマスタシステムが、例えば、インターネットアドレスのようなアドレスに割当てられると、他のエンティティはそのエンドユーザマスタシステムに接続することによってレジスタデータをポーリングすることができる。
【００４１】
本発明の１つの実施例では、複数のパーティは、例えば、現在の環境の一致が第１のネゴシエーションの時点では、達成できなかったり、或いは、それらのパーティが進行中のセションを延期することを決定するならば、通信を延期することに同意する。この場合、これらのパーティは、予め定義された条件が満たされたときには、延期したセションに命令して中断されたネゴシエーションを再開することに同意するかもしれない。例えば、ユーザ環境の変化は結果として、新しいセットのエンドユーザシステムとなり、その内のいくつかは通信条件をより良く満足する。環境の一致が見出されたとき、延期しているエンティティは参加するパーティ全ての招待を開始し、例えば、共用環境のような招待情報を含める。
【００４２】
図７は、延期手順を実施するための代表的な構成に関与するエンティティの図を示す。延期エンティティ７１０は、呼処理及び警告エンティティ２５０から、延期セションに関係するデータ、例えば、一致すべき環境、関与するエンドユーザ全てとのダイアログ（会話）で決定される延期セションについての時間と他の条件などを受信する。７３０では、延期エンティティ７１０は登録エンティティ１４０から各エンドユーザが登録した環境の変更に関係したデータを受信する。７４０では、延期エンティティ７１０はエンドユーザの呼処理及び警告エンティティ２５０に信号を発信し、延期時に確立されたデータにより通信条件が満たされたことを伝える。招待は各エンドユーザに向けられ、付加的なダイアログ（対話）が実行されても良い。セション管理エンティティ２３０は７５０において共用環境を受信してユーザセションを創成する。７６０では、特定の接続確立が要求される。
【００４３】
本発明の１つの実施例に従えば、延期エンティティはエンドユーザシステム、例えば、移動体電話で実施される。代表的なものとしては、環境１２０においてエンドユーザ２の移動体電話は以前にはエンドユーザ１との通信を行うための一致は得られず、一致すべきエンドユーザ環境と延期セションに関係する他のデータとをダウンロードする。その後、移動体電話は、例えば、Bluetooth（登録商標）接続を介して、その環境における機器への環境変更を管理統括しても良い。通信条件が満足されたことに応じて、その移動体電話は呼処理及び警告エンティティに接続し、通常の手順がセション確立のために実行する。
【００４４】
本発明の実施例に従えば、もし、被呼者が、例えば、一定時間内に招待に応答しないなら、或いは、その招待を呈示する利用可能なエンドユーザシステムがないなら、呼処理及び警告エンティティは自動的な動作を求める。これは、代表的なこととしては、発呼者へのアンサリング機器の接続に関与することかもしれない。
【００４５】
本発明の１実施例は、例えば、公開されていない米国特許出願第０９／２３２１６５号“アドレス割当て”によれば、インターネットアドレスを節約する方法に実施される。この方法によれば、エンドユーザシステムはアイドル状態のインターネットに接続される。この状態で、エンドユーザシステムは割当てられたネットワークアドレスをもたないが、そのシステムとの通信が要求された場合には、ネットワークアドレスがそこに割当てられる。即ち、登録エンティティ１４０はエンドユーザシステムエンティティ、例えば、氏名と、ＤＮＳサーバによりネットワークアドレスに変換するドメインとを含むかもしれない。思い出すことであるが、セション管理エンティティ２３０は２６１において接続管理エンティティ２６０を要求し、共用ユーザ環境に従う接続を確立し、エンドユーザシステムアイデンティティについての情報を含む。この実施例に従えば、アイドル状態にある、即ち、ネットワークアドレスをもっていないエンドユーザシステムはまず、ＤＨＣＰサーバ（動的ホスト構成プロトコル、ＲＦＣ２１３１）でネットワークアドレスを要求するように命令される。引用された文書によれば、ＤＮＳ（ドメインネームシステム、ＲＦＣ１０３４、ＲＦＣ１０３５）サーバはそのような要求をアイドル中のエンドユーザシステムへと導く。ＤＮＳサーバは割当てられたネットワークアドレスを接続管理エンティティ２６０へと返却し、接続管理エンティティ２６０は、それ以降、適切な接続を確立する。
【図面の簡単な説明】
【００４６】
【図１】好適な実施例の機能概要ブロック図である。
【図２】ネットワークインフラストラクチュアを示す図である。
【図３】本発明の好適な実施例に従う機能ブロック図である。
【図４】本発明の好適な実施例に従う動作モードを示すフローチャートである。
【図５】呼処理及び警告エンティティのより詳細な図である。
【図６】エンドユーザ環境決定のための代表的な表示を示す図である。
【図７】代替実施例に従う変形された機能ブロック図である。
【図１】
2005518719.tif 000003
【図２】
2005518719.tif 000004
【図３】
2005518719.tif 000005
【図４】
2005518719.tif 000006
【図５】
2005518719.tif 000007
【図６】
2005518719.tif 000008
【図７】
2005518719.tif 000009
【手続補正書】
【提出日】平成16年5月7日(2004.5.7)
【手続補正１】
【補正対象書類名】特許請求の範囲
【補正対象項目名】全文
【補正方法】変更
【補正の内容】
【特許請求の範囲】
【請求項１】
夫々が各通信ネットワーク（３３０、３４０、３５０）に接続された複数のエンドユーザシステム（１１０、１２０）夫々にアクセスする第１と第２のエンドユーザ間のユーザマルチメディアセションを確立する方法であって、
複数のエンドユーザシステム各々のエンドユーザシステムのための、各エンドユーザシステムの能力に少なくとも関係したデータを各記憶ユニット（１４０）に格納する工程と、
第１のユーザが前記第１の複数のエンドユーザシステム（１１０）において、第２のユーザの複数のエンドユーザシステム（１２０）の内の少なくとも１つに対する、通信用のメディア能力についての初期要求を決定する通信の招待の送信を開始する工程と、
前記初期要求と前記格納されたデータとに依存して、適切なメディア能力をもつエンドユーザシステムの選択ために各パーティ（８１５、８３５）とネゴシエーションする工程と、
選択エンドユーザシステムについてのネットワークアドレスを、ユーザシステムとネットワークノード（１３０）との間のサブセションの確立のために決定する工程と、
前記ネットワークノード（１３０）において、マルチメディアユーザセションの創成のために前記サブセションと内部接続する工程とを有することを特徴とする方法。
【請求項２】
少なくとも１つの記憶ユニット（１４０）は、その関係した複数のエンドユーザシステム（１１０、１２０）に位置することを特徴とする請求項１に記載の方法。
【請求項３】
前記格納する工程は、前記データを前記各複数のエンドユーザシステム（１１０、１２０）で登録し、前記データを前記記憶ユニット（１４０）での記憶のために転送することを特徴とする請求項１又は２に記載の方法。
【請求項４】
前記登録は、エンドユーザシステムにおけるエンドユーザのマニュアル操作により部分的になされることを特徴とする請求項３に記載の方法。
【請求項５】
前記登録する工程は、前記エンドユーザシステムが短距離無線通信システムにより少なくとも別のエンドユーザシステムに接続することを含み、前記別のエンドユーザシステムに関係した前記データをポーリングすることを特徴とする請求項３に記載の方法。
【請求項６】
前記転送は、無線ネットワークにより前記データを通信すること含むことを特徴とする請求項３に記載の方法。
【請求項７】
前記ネゴシエーションする工程は、サービスノードにおいて実施される支援サービスを決定することに関与し、
前記確立する工程は、前記サービスノードと前記ネットワークノード（１３０）との間のさらなるサブセションの創成を含み、
前記内部接続する工程は、前記マルチメディアユーザセションが前記サービスを支援するように前記さらなるサブセションと前記サブセションの内部接続を含むことを特徴とする請求項１に記載の方法。
【請求項８】
前記通信を確立する工程は、少なくとも１つの通信条件が満足されないという理由で延期されることを特徴とする請求項１に記載の方法。
【請求項９】
前記条件は一回の障害に関係して前記対応するメディアが可能なエンドユーザシステムを識別選択し、
そのような対応するシステムの利用可能性が後になって決定されることを特徴とする請求項８に記載の方法。
【請求項１０】
前記利用可能性はエンドユーザシステムにおいて自動的に決定されることを特徴とする請求項９に記載の方法。
【請求項１１】
処理及び記憶手段と、入力手段と、情報の呈示手段と、通信ネットワークへの接続手段とを有し、マルチメディアセションの創成を制御するエンドユーザシステムであって、
前記エンドユーザシステムの環境にあうように決定された、複数の識別されたエンドユーザシステムに関するデータを登録する手段と、
メディアの選択をネゴシエートするためにネットワークと相互作用する手段と、
前記メディアの選択に対応する識別されたエンドユーザシステムを選択する手段と、
前記識別されたエンドユーザシステムの選択を含む要求を送信して前記選択されたエンドユーザシステムとネットワークノード（１３０）との間のサブセションを確立する手段と、
前記ネットワークノード（１３０）において、前記サブセションと内部接続してマルチメディアユーザセションを形成する手段とを有することを特徴とするエンドユーザシステム。
【請求項１２】
物理的環境内のエンドユーザシステムの自動検出の手段と前記データのために前記検出されたシステムにポーリングする手段とをさらに有することを特徴とする請求項１１に記載のエンドユーザシステム。
【請求項１３】
前記検出とポーリングする手段は、前記エンドユーザシステム各々に接続する短距離無線通信システムを有していることを特徴とする請求項１２に記載のエンドユーザシステム。
【請求項１４】
マルチメディアユーザセションの管理のために少なくとも１つの通信ネットワークに接続されるネットワークノード（１３０）であって、
識別されたエンドユーザとの通信要求を受信する手段と、
前記識別されたエンドユーザに招待メッセージを送信する手段と、
前記識別されたエンドユーザに関連した少なくとも複数のエンドユーザシステム（１１０、１２０）に関係したデータを記憶場所（１４０）から取り出す手段と、
メディアと対応するメディアが可能なエンドユーザシステムの選択のために、前記格納されたデータに依存して、前記識別されたエンドユーザとネゴシエーションを行なう手段と、
前記選択されたエンドユーザシステムと前記エンドユーザシステムとネットワークノード（１３０）との間のサブセションの確立とのためにネットワークアドレスを決定する手段と、
前記サブセションを内部接続してマルチメディアユーザセションを形成する手段とを有することを特徴とするネットワークノード。
【国際調査報告】
2005518719.tif 000010
2005518719.tif 000011
2005518719.tif 000012
2005518719.tif 000013